(57)【要約】【課題】本発明の目的は、筐体の係止孔回りの防滴性の向上を図った電子機器を得ることにある。【解決手段】電子機器１は、係止孔３３が開口する筐体６と、係止孔３３に係合する係合部６６を備えるとともに筐体６に取り付けられる係合部材１２と、係止孔３３の少なくとも一部に沿って設けられるとともに、係合部材１２と筐体６との間に介在されるシーリング部材４２とを具備する。【選択図】      図２
2007280278.tif 000002
【特許請求の範囲】
【請求項１】
筐体と、
キーボード載置部と、
上記キーボード載置部に並んで設けられるとともに、係止孔が開口されたホルダ載置部と、
上記キーボード載置部に載置されるキーボードと、
上記係止孔に係合する係合部を備えるとともに、上記ホルダ載置部に載置され、上記キーボードの端部を保持するキーボードホルダと、
上記係止孔と上記キーボード載置部との間に設けられ、上記筐体と上記キーボードホルダとの間に介在されるシーリング部材と、
を具備することを特徴とする電子機器。
【請求項２】
請求項１に記載の電子機器において、
上記ホルダ載置部は、上記キーボード載置部に比べて一段高くなった段差状に形成され、上記シーリング部材は、上記キーボード載置部と上記ホルダ載置部との間の段差に沿って設けられることを特徴とする電子機器。
【請求項３】
請求項１に記載の電子機器において、
上記ホルダ載置部は、上記キーボード載置部の縁部から上方に延びる起立壁と、上記起立壁の上端から水平に延びる上壁とを有し、
上記係止孔は、上記ホルダ載置部の上壁に開口し、
上記ホルダは、上記係合部が設けられるとともに上記ホルダ載置部の上壁に載置されるカバー部と、上記カバー部の縁部から上記起立壁に沿うように折れ曲がる折曲部とを有し、
上記シーリング部材は、上記起立壁に沿って設けられ、上記起立壁と上記キーボードホルダの折曲部との間に介在されることを特徴とする電子機器。
【請求項４】
請求項３に記載の電子機器において、
上記キーボードホルダは、上記係合部が上記係止孔に挿入される時に、上記シーリング部材を上記起立壁に向けて押圧することを特徴とする電子機器。
【請求項５】
請求項４に記載の電子機器において、
上記折曲部は、上記キーボード載置部に載置された上記キーボードの端部に当接することを特徴とする電子機器。
【請求項６】
請求項５に記載の電子機器において、
上記起立壁に沿う上記上壁の縁部に取り付けられ、上記上壁と上記キーボードホルダのカバー部との間に介在される他のシーリング部材を備えることを特徴とする電子機器。
【請求項７】
請求項６に記載の電子機器において、
上記他のシーリング部材は、上記シーリング部材が取り付けられる部位を外れた上記上壁の縁部に取り付けられることを特徴とする電子機器。
【請求項８】
請求項７に記載の電子機器において、
上記キーボードホルダは、上記係合部が上記係止孔に挿入される時に、上記他のシーリング部材を上記上壁に向けて押圧することを特徴とする電子機器。
【請求項９】
係止孔が開口する筐体と、
上記係止孔に係合する係合部を備え、上記筐体に取り付けられる係合部材と、
上記係止孔の少なくとも一部に沿って設けられ、上記係合部材と上記筐体との間に介在されるシーリング部材と、
を具備することを特徴とする電子機器。
【請求項１０】
請求項９に記載の電子機器において、
上記筐体に設けられる第１の載置部と、上記第１の載置部に並んで設けられるとともに上記係止孔が開口する第２の載置部と、上記第１の載置部に載置されるユニットとを備え、
上記係合部材は、上記第２の載置部に載置され、上記ユニットを上記筐体に対して保持し、
上記シーリング部材は、上記第１の載置部と上記係止孔との間に設けられ、上記係止孔を上記第１の載置部から液密にシールすることを特徴とする電子機器。
【請求項１１】
請求項１０に記載の電子機器において、
上記ユニットは、キーボードであり、上記係合部材は、キーボードホルダであることを特徴とする電子機器。
【発明の詳細な説明】
【技術分野】
【０００１】
本発明は、開口部を有する筐体を備えた電子機器に係り、特に開口部回りの防滴構造に関する。
【背景技術】
【０００２】
ポータブルコンピュータのような電子機器の筐体には、例えばキーボードが載置されるキーボード取付部が設けられる。電子機器はさらに、キーボード取付部に載置されたキーボードが筐体から浮き上がらないように、キーボードの端部を押さえるキーボードホルダを備える。
【０００３】
上記のようなキーボードホルダを備えた携帯形情報機器が提供されている（例えば、特許文献１参照）。特許文献１に記載の情報機器のキーボード取付部には、キーボードが取り外し可能に係止される。キーボードホルダは、キーボードの縁部に沿って延びる。キーボードホルダは、キーボードの縁部をキーボード取付部との間に挟み込むことで、キーボードをキーボード取付部に保持する。
【０００４】
キーボード取付部には、複数の係止孔が開口している。キーボードホルダは、この係止孔に差し込まれる係止片を備える。キーボードホルダは、この係止片をキーボード取付部の係止孔に差し込んで引っ掛けることで、キーボード取付部に取り付けられる。
【特許文献１】特開平１１−１７５１８６号公報
【発明の開示】
【発明が解決しようとする課題】
【０００５】
例えば特許文献１に記載の情報機器の筐体には、キーボードホルダの係合片を引っ掛けるための係止孔が開口する。この係止孔は、筐体の内部に開口している。このような情報機器の上に誤ってコーヒーや飲料水のような液体をこぼしてしまった場合、液体はこの係止孔を通じて筐体内に浸入するおそれがある。
【０００６】
本発明の目的は、筐体の係止孔回りの防滴性の向上を図った電子機器を得ることにある。
【課題を解決するための手段】
【０００７】
上記目的を達成するために、本発明の一つの形態に係る電子機器は、係止孔が開口する筐体と、上記係止孔に係合する係合部を備え上記筐体に取り付けられる係合部材と、上記係止孔の少なくとも一部に沿って設けられ、上記係合部材と上記筐体との間に介在されるシーリング部材とを具備する。
【発明の効果】
【０００８】
この構成によれば、液体が筐体の係止孔を通じて筐体内に浸入することが防止され、係止孔回りの防滴性が向上する。
【発明を実施するための最良の形態】
【０００９】
以下に本発明の実施の形態を、ポータブルコンピュータに適用した図面に基づいて説明する。  
図１ないし図１２は、本発明の第１の実施形態に係る電子機器としてのポータブルコンピュータ１を開示する。図１に示すように、ポータブルコンピュータ１は、本体２と表示ユニット３とを備える。  
本体２は、筐体カバー４と筐体ベース５とを備える。筐体カバー４が筐体ベース５に上方から組み合わされると、両者は協働して箱状の筐体６を形成する。筐体６は、上壁６ａ、側壁６ｂ、および図示しない下壁を備える。
【００１０】
表示ユニット３は、ディスプレイハウジング８と、このディスプレイハウジング８に収容された液晶表示パネル９とを備える。液晶表示パネル９は、表示画面９ａを有する。表示画面９ａは、ディスプレイハウジング８の前面の開口部８ａを通じてディスプレイハウジング８の外部に露出されている。
【００１１】
表示ユニット３は、筐体６の後端部にヒンジ装置を介して支持されている。これにより、表示ユニット３は、上壁６ａを上方から覆うように倒される閉じ位置と、上壁６ａを露出させるように起立する開き位置との間で回動可能である。
【００１２】
図２に示すように、本体２は、筐体６の上壁６ａに取り付けられるキーボード１１と、このキーボード１１を保持するためのキーボードホルダ１２とを備える。キーボード１１は、本発明でいうユニットに該当するものの一例である。キーボードホルダ１２は、筐体６に取り付けられる係合部材の一例である。
【００１３】
筐体６の上壁６ａには、キーボード１１およびキーボードホルダ１２が取り付けられるキーボード取付部１３が設けられている。キーボード取付部１３は、筐体６の上方を向いて開放されているとともに、筐体６の内側を向いて窪む凹部状に形成されている。
【００１４】
次に、図２および図３を参照してキーボード取付部１３について詳しく説明する。キーボード取付部１３は、周壁１４と底壁１５とを有する。周壁１４は、筐体６の上壁６ａのキーボード取付部１３を囲む周縁から下方を向いて延びている。図３に示すように、周壁１４は、前周壁１４ａ、後周壁１４ｂ、左周壁１４ｃ、および右周壁１４ｄを有する。前周壁１４ａおよび後周壁１４ｂは、それぞれキーボード取付部１３の最前部または最後部に位置するとともに、ポータブルコンピュータ１の幅方向に沿って延びている。
【００１５】
左右の両周壁１４ｃ，１４ｄは、それぞれポータブルコンピュータ１の奥行き方向に沿って延び、前周壁１４ａの左端または右端を後周壁１４ｂの左端または右端に繋げている。底壁１５は、前周壁１４ａ、後周壁１４ｂ、左周壁１４ｃ、および右周壁１４ｄの下端に連なり、キーボード取付部１３を下方から閉じている。
【００１６】
図３に示すように、底壁１５には、種々の目的に沿って例えば複数の開口部１７が開口している。これらの開口部１７には、筐体６の内側から図示しないインシュレータが貼られている。これにより開口部１７の回りは液密にシールされている。
【００１７】
前周壁１４ａには、例えば複数の係止穴１８が設けられている。複数の係止穴１８は、前周壁１４ａに沿って互いに間隔を空けて配置されている。係止穴１８は、前周壁１４ａから筐体６の前側を向いて窪んでいる。底壁１５には、係止穴１８に連なるガイド溝１９が形成されている。
【００１８】
図３に示すように、キーボード取付部１３は、キーボード載置部２１とホルダ載置部２２とに大きく区分される。キーボード載置部２１は、第１の載置部の一例である。キーボード載置部２１は、キーボード取付部１３の中で前周壁１４ａ寄りに位置するとともに、キーボード取付部１３の大部分を占める。キーボード載置部２１には、キーボード１１が載置される。
【００１９】
ホルダ載置部２２は、第２の載置部の一例である。ホルダ載置部２２は、キーボード載置部２１の後方に位置するとともに、キーボード載置部２１に並んで設けられている。ホルダ載置部２２は、ポータブルコンピュータ１の幅方向に沿って細長く延び、キーボード取付部１３の全幅に亘って設けられている。ホルダ載置部２２には、キーボードホルダ１２が載置される。
【００２０】
図２および図５に示すように、ホルダ載置部２２は、キーボード載置部２１に比べて一段高く盛り上がった段差状に形成されている。詳しくは、ホルダ載置部２２は、起立壁２４と上壁２５とを有する。起立壁２４は、キーボード載置部２１の後縁部から起立し、上方を向いて延びている。上壁２５は、起立壁２４の上端からキーボード取付部１３の後周壁１４ｂを向いて水平に延び、後周壁１４ｂに繋がっている。
【００２１】
図３に示すように、キーボード取付部１３には、第１および第２の切欠き２７，２８が形成されている。第１および第２の切欠き２７，２８は、それぞれホルダ載置部２２を切り欠いている。第１および第２の切欠き２７，２８により切り欠かれた部位は、それぞれキーボード載置部２１の一部を構成している。
【００２２】
詳しくは、第１の切欠き２７は、例えばホルダ載置部２２の左端部と右端部にそれぞれ一つずつ形成されている。第１の切欠き２７は、ホルダ載置部２２をその前縁から後縁に亘って切り欠いている。これにより、ホルダ載置部２２は、中央部２２ａ、左端部２２ｂ、右端部２２ｃの３つに分離されている。
【００２３】
第１の切欠き２７により切り欠かれた部位の底壁１５には、ねじ穴２９が設けられている。図３および図５に示すように、ホルダ載置部２２の中央部２２ａ、左端部２２ｂ、右端部２２ｃは、それぞれ第１の切欠き２７により切り欠かれた縁部にも、上壁２５を底壁１５に繋げる起立壁２４を備える。
【００２４】
図３に示すように、第２の切欠き２８は、例えば３つ設けられている。複数の第２の切欠き２８は、ホルダ載置部２２の中央部２２ａの起立壁２４に沿って互いに間隔を空けて設けられている。第２の切欠き２８は、ホルダ載置部２２をその前縁から後方を向いて例えば数ｍｍ程度切り欠いている。
【００２５】
キーボード載置部２１には、さらに係合穴３０が形成されている。係合穴３０は、キーボード載置部２１の左後端部と右後端部において、それぞれホルダ載置部２２に沿って設けられている。
【００２６】
図３に示すように、ホルダ載置部２２の上壁２５には、第１ないし第３の係止孔３２，３３，３４が筐体６内に開口している。第１の係止孔３２は、例えば複数個設けられる。複数の第１の係止孔３２は、例えばホルダ載置部２２の後縁部に沿って（すなわち後周壁１４ｂに沿って）、互いに間隔を空けて並んで配置されている。
【００２７】
第２の係止孔３３は、例えば複数個設けられる。第２の係止孔３３は、第１の係止孔３２に比べて上壁２５の前側に設けられる。複数の第２の係止孔３３は、ホルダ載置部２２の長手方向に沿って互いに間隔を空けて並んで配置されている。第１および第２の係止孔３２，３３は、キーボードホルダ１２を固定するための開口部である。
【００２８】
第３の係止孔３４は、例えばホルダ載置部２２の後縁部に沿って設けられている。例えば筐体上壁６ａの後端部には、例えば電源スイッチボタン３５やＡＶ機器操作用等のボタン３６などが並んで配置されている。これらのボタンに対応したスイッチは、筐体６に収容された図示しない回路基板に実装されている。第３の係止孔３４には、この回路基板を保持する保持部材のラッチが挿入され、上記保持部材が係止されている。
【００２９】
図２に示すように、本体２は、さらに第１および第２のシーリング部材４２，４３を備える。図４に示すように、第１および第２のシーリング部材４２，４３は、ホルダ載置部２２に取り付けられる。第１および第２のシーリング部材４２，４３の一例は、スポンジゴムである。ただし第１および第２のシーリング部材４２，４３の材料はこれに限らず、例えばウレタンゴムのような素材でも良く、種々の素材の部材を幅広く適用することができる。シーリング部材４２，４３が弾性体で形成されていると、よりシーリング効果が高くなる。
【００３０】
第１のシーリング部材４２は、ホルダ載置部２２の起立壁２４に取り付けられる。第１のシーリング部材４２は、ホルダ載置部２２の中央部２２ａの長手方向の長さに対応した帯状に形成されている。第１のシーリング部材４２は、ホルダ載置部２２の中央部２２ａの左端から右端に亘って設けられる。図５に示すように、第１のシーリング部材４２は、例えば起立壁２４の高さと略同じ大きさの上下方向の幅を有する。第１のシーリング部材４２は、ホルダ載置部２２の中央部２２ａの起立壁２４の一面を全て覆う。
【００３１】
換言すれば、第１のシーリング部材４２は、第１ないし第３の係止孔３２，３３，３４に沿うとともに、第１ないし第３の係止孔３２，３３，３４とキーボード載置部２１との間に設けられる。第１のシーリング部材４２は、キーボード載置部２１とホルダ載置部２２との間の段差に沿って設けられる。
【００３２】
図４に示すように、第２のシーリング部材４３は、ホルダ載置部２２の上壁２５に取り付けられる。第２のシーリング部材４３は、第１のシーリング部材４２が取り付けられていない部位に沿う上壁２５の縁部に取り付けられる。詳しくは、図４および図５に示すように、第２のシーリング部材４３は、第１の切欠き２７に臨む起立壁２４に隣接した上壁２５の縁部に取り付けられる。すなわち本実施形態では、第２のシーリング部材４３は、ホルダ載置部２２の中央部２２ａの左縁部と右縁部とにそれぞれ設けられる。
【００３３】
図５に示すように、第２のシーリング部材４３は、ホルダ載置部２２の奥行き方向の長さと略同じ長さを有し、ホルダ載置部２２の前縁から後縁に亘って設けられる。第１および第２のシーリング部材４２，４３の取り付けは、例えば両面テープなどによる。第２のシーリング部材の一例は、その一端が第１のシーリング部材４２に接するとともに、他端が後周壁１４ｂに接している。これにより、第１および第２のシーリング部材４２，４３は、互いに連続するとともに、キーボード載置部２１に隣り合うホルダ載置部２２の３つの周縁を取り囲む堤防を形成する。
【００３４】
詳しくは後述するが、この第１ないし第２のシーリング部材４２，４３は、キーボードホルダ１２により圧縮されて保持される。したがって、第１および第２のシーリング部材４２，４３の一例は、設置時には互いに接触していないが、キーボードホルダ１２により圧縮された時に互いに接するように形成されても良い。ただし、第１および第２のシーリング部材４２，４３が互いに接する必要は必ずしも無く、その電子機器に必要な防滴性能に合わせて種々の大きさを適宜選択することができる。
【００３５】
ホルダ載置部２２の左端部２２ｂと右端部２２ｃに開口する第１および第２の係止孔３２，３３に対しては、筐体６の内側からインシュレータ４４が貼られている。これにより、第１および第２の係止孔３２，３３の回りは液密にシールされている。
【００３６】
次に、図６を参照してキーボード１１について説明する。キーボード１１は、板状に形成されたキーボード基板５０と、このキーボード基板５０上に並んで配設される複数のキー５１とを有する。キーボード基板５０には，第１ないし第３の爪５２，５３，５４が設けられている。
【００３７】
第１の爪５２は、キーボード基板５０の前縁部からキーボード１１の前方へ突出している。第１の爪５２は、キーボード取付部１３の係止穴１８と同数設けられている。複数の第１の爪５２は、キーボード基板５０の前縁部に沿って係止穴１８に対応するように互いに間隔を空けて配置されている。
【００３８】
第２の爪５３は、キーボード基板５０の左後縁部と右後縁部とに設けられ、それぞれキーボード１１の後方を向いて突出している。第２の爪５３は、キーボード取付部１３の第１の切欠き２７に対応して配置される。第２の爪５３は、キーボード１１をキーボード載置部２１に載置した時、第１の切欠き２７が切り欠いた部位に載置される。第２の爪５３には、ねじ穴２９に連通する貫通孔５３ａが開口している。
【００３９】
第３の爪５４は、キーボード基板５０の後縁部からキーボード１１の後方へ突出している。第３の爪５４は、キーボード取付部１３の第２の切欠き２８と同数設けられている。複数の第３の爪５４は、キーボード基板５０の後縁部に沿って第２の切欠き２８に対応するように互いに間隔を空けて配置されている。
【００４０】
次に、図７ないし図９を参照してキーボードホルダ１２について説明する。キーボードホルダ１２は、カバー部６１と保持部６２とを備える。図７に示すように、カバー部６１は、ホルダ載置部２２の上壁２５に沿う細長い板状に形成されている。キーボードホルダ１２がホルダ載置部２２に載置された時、カバー部６１はホルダ載置部２２の上壁２５に載置される。
【００４１】
保持部６２は、折曲部の一例である。保持部６２は、カバー部６１の前縁部から下方を向いて折れ曲がっている。保持部６２は、キーボードホルダ１２の長手方向の全幅に亘って設けられている。保持部６２は、ホルダ載置部２２の起立壁２４の高さに対応した長さだけ下方を向いて延びている。キーボードホルダ１２がホルダ載置部２２に載置された時、保持部６２は起立壁２４に沿うように折れ曲がっているとともに、キーボード取付部１３の底壁１５を向いて延びる。保持部６２の背面６２ａは、起立壁２４に対向する。
【００４２】
図１１に示すように、キーボードホルダ１２をホルダ載置部２２に取り付けた時、保持部６２の下端６２ｂはキーボード１１の第３の爪５４に上方から当接し、キーボード１１を上から押さえる。
【００４３】
保持部６２の左端部と右端部の下端には、それぞれ係合片６４が設けられている。係合片６４は、キーボード取付部１３の係合穴３０に対応して設けられている。キーボードホルダ１２をホルダ載置部２２に取り付けた時、係合片６４は、係合穴３０に係合する。
【００４４】
図８および図９に示すように、キーボードホルダ１２のカバー部６１には、第１および第２のラッチ６５，６６が設けられている。第１および第２のラッチ６５，６６は、それぞれ本発明でいう係合部の一例である。第１および第２のラッチ６５，６６は、それぞれカバー部６１の下面６１ａから下方を向いて突出している。
【００４５】
第１のラッチ６５は、例えばホルダ載置部２２の第１の係止孔３２と同数設けられる。第１のラッチ６５は、キーボードホルダ１２の後縁部に沿って、第１の係止孔３２に対応するように配置されている。第１のラッチ６５は、その先端部にキーボードホルダ１２の後方を向いて突出する爪６７を有する。キーボードホルダ１２をホルダ載置部２２に載置した時、第１のラッチ６５は、第１の係止孔３２に挿入され、第１の係止孔３２に係合する。詳しくは図１０に示すように、第１のラッチ６５の爪６７が第１の係止孔３２の後縁に引っ掛かる。
【００４６】
第２のラッチ６６は、例えばホルダ載置部２２の第２の係止孔３３と同数設けられる。第２のラッチ６６は、キーボードホルダ１２の長手方向に沿って、第２の係止孔３３に対応するように配置されている。第２のラッチ６６は、その先端部にキーボードホルダ１２の前方を向いて突出する爪６８を有する。キーボードホルダ１２をホルダ載置部２２に載置した時、第２のラッチ６６は、第２の係止孔３３に挿入され、第２の係止孔３３に係合する。詳しくは図１０に示すように、第２のラッチ６６の爪６８が第２の係止孔３３の前縁３３ａに引っ掛かる。
【００４７】
第２のラッチ６６の前面６６ａと保持部６２の背面６２ａとの間の距離Ｓは、第２の係止孔３３の前縁３３ａと起立壁２４に取付けられた第１のシーリング部材４２の前面４２ａとの間の距離Ｔより小さい。すなわち、キーボードホルダ１２をホルダ載置部２２に載置すると、第１のシーリング部材４２は、起立壁２４とキーボードホルダ１２の保持部６２との間で圧縮されて保持される。
【００４８】
第２のラッチ６６の爪６８の上端とカバー部６１の下面６１ａとの間の距離Ｍは、第２の係止孔３３の下縁３３ｂとホルダ載置部２２に取り付けられた第２のシーリング部材４３の上面４３ａとの間の距離より小さい。すなわち、キーボードホルダ１２をホルダ載置部２２に載置すると、第２のシーリング部材４３は、上壁２５とキーボードホルダ１２のカバー部６１との間で圧縮されて保持される。
【００４９】
第１ラッチ６５を第１の係止孔３２に挿入する時、キーボードホルダ１２には、第１のラッチ６５の弾性により爪６７を第１の係止孔３２の奥（すなわち爪６７が第１の係止孔３２の下縁３２ｂに引っ掛かる位置）に引き込もうとする力（すなわち嵌合引き込み力）が働く。第２ラッチ６６を第２の係止孔３３に挿入する時も同様に、キーボードホルダ１２には、第２のラッチ６６の弾性により爪６８を第２の係止孔３３の奥（すなわち爪６８が第２の係止孔３３の下縁３３ｂに引っ掛かる位置）に引き込もうとする力が働く。
【００５０】
キーボードホルダ１２がホルダ載置部２２に取り付けられる時、これらの嵌合引き込み力が第１および第２のシーリング部材４２，４３に作用し、第１および第２のシーリング部材４２，４３をそれぞれ起立壁２４または上壁２５に向けて押圧する。これにより第１および第２のシーリング部材４２，４３は、上記のようにキーボードホルダ１２とホルダ載置部２２との間で圧縮される。
【００５１】
次に、ポータブルコンピュータ１の組み立てについて説明する。  
キーボード取付部１３には、まずキーボード１１が取り付けられる。詳しくは、キーボード基板５０の第１の爪５２をキーボード取付部１３のガイド溝１９に沿わせて係止穴１８に係合させる。これにより、キーボード１１の前縁部が保持される。次にキーボード１１をキーボード載置部２１に載置する。キーボード１１をキーボード載置部２１に載置すると、キーボード基板５０の第２の爪５３がキーボード取付部１３の第１の切欠き２７に対応する。ここで、ねじ７１を第２の爪５３の貫通孔５３ａに挿入し、キーボード取付部１３のねじ穴２９に螺合させる。これによりキーボード１１はキーボード取付部１３に取り付けられる。
【００５２】
キーボード１１をキーボード取付部１３に取り付けた後、キーボードホルダ１２をホルダ載置部２２に載置する。第１および第２のラッチ６５，６６をそれぞれ第１または第２の係止孔３２，３３に挿入すると、キーボードホルダ１２には嵌合引き込み力が生じ、キーボードホルダ１２はホルダ載置部２２に固定される。
【００５３】
キーボードホルダ１２がホルダ載置部２２に取り付けられると、図１１に示すように、保持部６２の下端６２ｂがキーボード基板５０の第３の爪５４に上方から当接し、第３の爪５４を下方を向いて押さえる。これにより、キーボードホルダ１２は、キーボード１１の後端部をキーボード取付部１３との間に保持する。
【００５４】
図１２に示すように、キーボードホルダ１２がホルダ載置部２２に取り付けられると、第１のシーリング部材４２は、ホルダ載置部２２の起立壁２４とキーボードホルダ１２の保持部６２との間に介在され、両者の間で圧縮保持される。第２のシーリング部材４３は、ホルダ載置部２２の上壁２５とキーボードホルダ１２のカバー部６１との間に介在され、両者の間で圧縮保持される。これにより、ホルダ載置部２２を３方向から取り囲む堤防状のシーリングラインが形成され、ホルダ載置部２２がキーボード載置部２１から液密にシールされる。
【００５５】
次に、ポータブルコンピュータ１の作用について説明する。  
例えば誤ってコーヒーや飲料水のような液体をキーボード１１の上にこぼしてしまった場合、この液体はキーボード載置部２１に流入する。このキーボード載置部に流入した液体は、ホルダ載置部２２の第１ないし第３の係止孔３２，３３，３４を通じて筐体６内に浸入しようとする。しかしこの液体は、第１および第２のシーリング部材４２，４３によりホルダ載置部２２内に浸入することが防がれる。
【００５６】
このような構成のポータブルコンピュータ１によれば、筐体６の係止孔３２，３３，３４を通じて液体が筐体６内に浸入することが防止され、係止孔３２，３３，３４回りの防滴性が向上する。すなわち、第１および第２のシーリング部材４２，４３がキーボード載置部２１とホルダ載置部２２との間を液密にシールするので、キーボード載置部２１上にこぼされた液体がホルダ載置部２２に浸入することが避けられる。これによりこの液体がホルダ載置部２２に開口する係止孔３２，３３，３４を通じて筐体６内に流入することが防がれる。
【００５７】
本発明の実施形態に係る第１のシーリング部材４２は、起立壁２４に貼り付けずに、上壁２５の縁部に貼り付けても良い。第１のシーリング部材４２を上壁２５に貼り付けることでも、同様の防滴効果を得ることができる。
【００５８】
例えば本実施形態に係るポータブルコンピュータ１のように、第１のシーリング部材４２を起立壁２４に貼り付けることで、ポータブルコンピュータ１の小型化を図ることができる。すなわち、第１のシーリング部材４２をホルダ載置部２２の上壁２５に貼ろうとすると、係止孔３３を上壁２５の前縁部から少なくとも第１のシーリング部材４２の幅だけ距離を空けて開口させる必要が生じる。
【００５９】
しかし、第１のシーリング部材４２を起立壁２４に沿うように設けることで、係止孔３２を上壁２５の前縁部の近傍に開口させることができる。換言すれば、上壁２５が必要とする面積を小さくすることができる。これはポータブルコンピュータ１の小型化に寄与する。すなわち、ホルダ載置部２２をキーボード載置部２１に一段高くなる段差状に形成するとともにこの段差に沿って第１のシーリング部材４２を設けることで、ポータブルコンピュータ１の大型化を避けた上で上記の防滴効果を得ることができる。
【００６０】
キーボードホルダ１２の保持部６２とホルダ載置部２２の起立壁２４との間の隙間は、キーボードホルダ１２が着脱自在に取り付けられるために必要な隙間である。この隙間を利用して第１のシーリング部材４２を設けると、さらにポータブルコンピュータ１の小型化に寄与することができる。
【００６１】
さらに第１のシーリング部材４２を外れる部位に対して第２のシーリング部材４３を設けることで、ホルダ載置部２２をキーボード載置部２１から確実にシールすることができる。すなわち第１および第２のシーリング部材４２，４３をその配置箇所によって起立壁２４に取り付けるか上壁２５に取り付けるかを適宜選択し、その両者を協働させることでさらに高い防滴性を得ることができる。
【００６２】
キーボードホルダ１２の嵌合引き込み力を利用して第１および第２のシーリング部材４２，４３を圧縮することで、第１および第２のシーリング部材４２，４３のシーリング効果をより効果的に発揮させることができる。
【００６３】
本実施形態に係るポータブルコンピュータ１においては、シーリング部材４２，４３は、キーボードホルダ１２のラッチ６５，６６の保持力により圧縮変形されて防滴効果を発揮するので、必要な箇所にシーリング部材４２，４３を貼るといった簡単な作業のみで防滴効果を高めることができる。
【００６４】
なお、本実施形態に係るホルダ載置部２２の左端部２２ｂおよび右端部２２ｃには、シーリング部材４２，４３が設けられていないが、最も係止孔３２，３３，３４が集中する中央部２２ａをシーリングすることで、所定の防滴性能を達成することができる。
【００６５】
次に、本発明の第２の実施形態に係る電子機器としてのポータブルコンピュータ８１を、図１３を参照して説明する。なお第１の実施形態に係るポータブルコンピュータ１と同じ機能を有する構成は、同一の符号を付してその説明を省略する。ポータブルコンピュータ８１は、第１の実施形態に係るポータブルコンピュータ１の構成要素に加えて、さらに複数の第１および第２のシーリング部材４２，４３を追加で備える。
【００６６】
ポータブルコンピュータ８１は、キーボード取付部１３が設けられた筐体６、キーボード１１、およびキーボードホルダ１２を備える。キーボード取付部１３のホルダ載置部２２は、中央部２２ａ、左端部２２ｂ、および右端部２２ｃに分かれている。ポータブルコンピュータ８１は、ホルダ載置部２２の左端部２２ｂに取り付けられた他の第１および第２のシーリング部材４２，４３を有する。第１のシーリング部材４２は、ホルダ載置部２２の左端部２２ｂの右端から左端に亘って設けられている。
【００６７】
さらにポータブルコンピュータ８１は、ホルダ載置部２２の右端部２２ｃに取り付けられた他の第１および第２のシーリング部材４２，４３を有する。第１のシーリング部材４２は、ホルダ載置部２２の右端部２２ｃの左端から右端に亘って設けられている。なお本実施形態に係るホルダ載置部２２の左端部２２ｂおよび右端部２２ｃに開口する係止孔３２，３３にはインシュレータが貼られていない。
【００６８】
このような構成のポータブルコンピュータ８１によれば、筐体６の係止孔３２，３３，３４を通じて液体が筐体６内に浸入することが防止され、係止孔３２，３３，３４回りの防滴性が向上する。すなわち、ポータブルコンピュータ８１は、第１の実施形態に係るポータブルコンピュータ１の構成を有するので、第１の実施形態と同様の理由により高い防滴性能を得ることができる。
【００６９】
ポータブルコンピュータ８１は、さらにホルダ載置部２２の左端部２２ｂと右端部２２ｃにも第１および第２のシーリング部材４２，４３を備える。第１および第２のシーリング部材４２，４３がホルダ載置部２２の左端部２２ｂおよび右端部２２ｃをキーボード載置部２１から液密にシールする。これにより、ホルダ載置部２２の左端部２２ｂおよび右端部２２ｃの係止孔３２，３３を通じて液体が筐体６内に浸入するおそれが無くなり、さらに高い防滴性能を得ることができる。
【００７０】
次に、本発明の第３の実施形態に係る電子機器としてのポータブルコンピュータ９１を、図１４を参照して説明する。なお第１および第２の実施形態に係るポータブルコンピュータ１，８１と同じ機能を有する構成は、同一の符号を付してその説明を省略する。ポータブルコンピュータ９１は、第２の実施形態に係るポータブルコンピュータ８１の構成要素に加えて、さらに第３のシーリング部材９２を追加で備える。
【００７１】
ポータブルコンピュータ９１は、キーボード取付部１３が設けられた筐体６、キーボード１１、およびキーボードホルダ１２を備える。ホルダ載置部２２の中央部２２ａ、左端部２２ｂ、および右端部２２ｃのそれぞれの後縁部には、それぞれ第３のシーリング部材９２が取り付けられている。例えば中央部２２ａに取り付けられた第３のシーリング部材９２は、中央部２２ａの左端から右端に亘って設けられている。第３のシーリング部材９２は、キーボードホルダ１２のカバー部６１とホルダ載置部２２の上壁２５との間に介在され、両者の間で圧縮保持される。
【００７２】
第１ないし第３のシーリング部材４２，４３，９２は、協働して第１ないし第３の係止孔３２，３３，３４の全周囲を取り囲む堤防状のシーリングラインを形成する。ホルダ載置部２２の左端部２２ｂや右端部２２ｃでも同様に、第１および第２の係止孔３２，３３の全周囲を取り囲む堤防状のシーリングラインが形成されている。
【００７３】
このような構成のポータブルコンピュータ９１によれば、筐体６の係止孔３２，３３，３４を通じて液体が筐体６内に浸入することが防止され、係止孔３２，３３，３４回りの防滴性が向上する。すなわち、ポータブルコンピュータ９１は、第２の実施形態に係るポータブルコンピュータ８１の構成を有するので、第１の実施形態と同様の理由により、高い防滴性能を得ることができる。
【００７４】
ポータブルコンピュータ９１は、第３のシーリング部材９２を有し、係止孔３２，３３，３４の全周囲を取り囲むシーリングラインが形成している。これにより、例えば筐体６の上壁６ａにこぼれた液体がホルダ載置部２２に浸入することが防がれ、さらに高い防滴性能を得ることができる。
【００７５】
以上、第１ないし第３の実施形態に係るポータブルコンピュータ１，８１，９１について説明したが、本発明の実施形態はこれらに限定されない。本発明の実施形態は、例えばタッチパッドカバーの係合部が係合するタッチパッドカバー載置部の係止孔などに対しても適用することができる。本発明の実施形態が適用可能な電子機器はポータブルコンピュータに限らない。本発明の実施形態は、例えば携帯電話機、デジタルカメラ、ビデオカメラ、またはポータブルデジタルアシスタントのような種々の電子機器に適用可能である。
【図面の簡単な説明】
【００７６】
【図１】本発明の第１の実施形態に係るポータブルコンピュータの斜視図。
【図２】第１の実施形態に係るポータブルコンピュータを分解して示す斜視図。
【図３】第１の実施形態に係るキーボード取付部の平面図。
【図４】第１の実施形態に係るシーリング部材を取り付けたキーボード取付部の平面図。
【図５】第１の実施形態に係るシーリング部材を取り付けたキーボード取付部の斜視図。
【図６】第１の実施形態に係るキーボードの斜視図。
【図７】第１の実施形態に係るキーボードホルダの表面を示す斜視図。
【図８】第１の実施形態に係るキーボードホルダの裏面を示す斜視図。
【図９】第１の実施形態に係るキーボードホルダを一部断面で示す側面図。
【図１０】第１の実施形態に係るポータブルコンピュータの図４中Ｆ１０−Ｆ１０線に沿う断面図。
【図１１】第１の実施形態に係るポータブルコンピュータの図４中Ｆ１１−Ｆ１１線に沿う断面図。
【図１２】第１の実施形態に係るポータブルコンピュータの図４中Ｆ１２−Ｆ１２線に沿う断面図。
【図１３】本発明の第２の実施形態に係るキーボード取付部およびシーリング部材の平面図。
【図１４】本発明の第３の実施形態に係るキーボード取付部およびシーリング部材の平面図。
【符号の説明】
【００７７】
１，８１，９１…ポータブルコンピュータ、６…筐体、１１…キーボード、１２…キーボードホルダ、１３…キーボード取付部、２１…キーボード載置部、２２…ホルダ載置部、２４…起立壁、２５…上壁、３２，３３…係止孔、４２，４３，９２…シーリング部材、６１…カバー部、６２…保持部、６５，６６…ラッチ。
【図１】
2007280278.tif 000003
【図２】
2007280278.tif 000004
【図３】
2007280278.tif 000005
【図４】
2007280278.tif 000006
【図５】
2007280278.tif 000007
【図６】
2007280278.tif 000008
【図７】
2007280278.tif 000009
【図８】
2007280278.tif 000010
【図９】
2007280278.tif 000011
【図１０】
2007280278.tif 000012
【図１１】
2007280278.tif 000013
【図１２】
2007280278.tif 000014
【図１３】
2007280278.tif 000015
【図１４】
2007280278.tif 000016